(57)【要約】【課題】次から次とコンテンツの切り換え再生を行う際に、再生画像の表示までの処理時間を短縮し、平準化する。【解決手段】コンテンツのサムネールを表示するサムネール表示手段と、コンテンツを選択させるコンテンツ選択手段と、選択されたコンテンツの周囲に配置されるコンテンツについて、先読みを行っていないものに対して先読みデータ取得指令を生成する先読みデータ取得指令生成手段と、既に先読み済みのコンテンツと、先読みを行っていないコンテンツとの配置を交換するコンテンツ配置変更指令を生成するコンテンツ配置変更指令生成手段と、先読みデータを記憶したコンテンツ先読み手段と、コンテンツ先読み手段からコンテンツを読み込み再生する。【選択図】図１
2011182357.tif 000002
【特許請求の範囲】
【請求項１】
保存されたコンテンツを再生するコンテンツ再生装置において、
前記コンテンツを保存するコンテンツ記憶手段と、
前記コンテンツを複数のグループに分けて管理するコンテンツ配置手段と、
前記コンテンツのサムネールを、前記グループごとに同一行または同一列に表示するサムネール表示手段と、
前記サムネールの中からサムネールを選択させるコンテンツ選択手段と、
前記選択されたサムネールに隣接するサムネールのコンテンツについて、当該コンテンツの先読みが必要であるか否かを判断し、先読みが必要である場合には、当該コンテンツの先読みを指示する先読みデータ取得指令生成手段と、
前記先読みデータ取得指令生成手段により先読みが指示されたコンテンツの先読みを行うコンテンツ先読み手段と、
前記サムネール選択手段により選択されたサムネールのコンテンツを前記コンテンツ先読み手段を通じて前記コンテンツ記憶手段から読み込み再生を行うコンテンツ再生手段とを備えることを特徴とするコンテンツ再生装置。
【請求項２】
先読みデータ取得指令生成手段は、さらに、前記コンテンツ選択手段にて選択されたサムネールに隣接するサムネールのコンテンツに対して、先読みが必要であるか否かを判断することを特徴とする請求項１記載のコンテンツ再生装置。
【請求項３】
さらに、前記コンテンツ選択手段により選択されたサムネールに隣接して表示されるサムネールのコンテンツの先読みが完了しておらず、かつ、当該先読みが完了していないコンテンツに隣接して表示されるサムネールのコンテンツの先読みが完了している場合には、当該先読みが完了していないコンテンツと当該コンテンツの先読みが完了しているコンテンツの配置を入れ替えるように指示するコンテンツ配置変更指令生成手段を備え、
前記コンテンツ配置手段は、前記コンテンツ配置変更指令生成手段の指示に応じてコンテンツの配置を交換して配置することを特徴とする請求項１記載のコンテンツ再生装置。
【請求項４】
保存されたコンテンツを再生するコンテンツ再生方法であって、
前記コンテンツを複数のグループに分けて管理し、
前記コンテンツのサムネールを、前記グループごとに同一行または同一列に表示し、
前記サムネールの中からサムネールを選択させ、
前記選択されたサムネールに隣接するサムネールのコンテンツについて、当該コンテンツの先読みが必要であるか否かを判断し、先読みが必要である場合には、当該コンテンツの先読みを指示し、
前記先読みの指示がされたコンテンツの先読みを行い、
前記選択されたサムネールのコンテンツを、先読みがなされていればそれを用いて再生することを特徴とするコンテンツ再生方法。
【請求項５】
前記先読みが必要であるか否かの判断をするコンテンツは、前記選択されたサムネールに隣接するサムネールのコンテンツであることを特徴とする請求項４記載のコンテンツ再生方法。
【請求項６】
さらに、前記選択されたサムネールに隣接して表示されるサムネールのコンテンツの先読みが完了しておらず、かつ、当該先読みが完了していないコンテンツに隣接して表示されるサムネールのコンテンツの先読みが完了している場合には、当該先読みが完了していないコンテンツと当該コンテンツの先読みが完了しているコンテンツの配置を入れ替えるように指示し、
前記コンテンツの配置を入れ替える指示に応じてコンテンツの配置を交換して配置することを特徴とする請求項５記載のコンテンツ再生装置。
【発明の詳細な説明】
【技術分野】
【０００１】
本発明は、ディジタル化された映像音声コンテンツのサムネールを画面に表示し、その表示したサムネールを選択することで、コンテンツ再生を行うコンテンツ再生装置に関する。
【背景技術】
【０００２】
近年、装置内の不揮発性のメモリー、可換可能なＳＤカード等の半導体メモリーを用いた記録媒体上に記録されたディジタル映像音声コンテンツを再生可能とするモバイルＡＶ機器が、普及している。
【０００３】
これらのモバイルＡＶ機器では、コンテンツが持つサムネールを表示し、そのサムネールを選択することで、コンテンツの再生を行うものが多い。
【０００４】
このような機器で、コンテンツのザッピングを行おうとしたとき、機器のユーザーがサムネール上の移動を行い、ザッピングしたいコンテンツが確定し、コンテンツを見ようとしても、選択されたコンテンツの読み出し、デコード、表示と、再生を開始するのに時間が必要となる。ＤＶＤのような機構的な都合により、コンテンツ読み出し時間に差があり、その差を埋めるために読み出しデータの配置を変えるような必要性は半導体メモリーにおいてはなくなったが、やはり、再生を開始するのにある程度の時間が必要である。
【０００５】
かかる問題を解決するために、ＤＶＤ上に記録されたコンテンツに対して、上記モバイルＡＶ機器と同様に、コンテンツが持つサムネールを用いコンテンツの選択画面を用意し、その選択画面で、コンテンツの選択を推測し、先読みを行い、コンテンツ再生時間を短縮する技術が知られている。しかし、かかる技術においても、ランダムにコンテンツを次から次とザッピングを行うときは、先読みを行い短時間に行うとしても、再生までの時間に幅ができ、快適なザッピング操作に支障を来たしてしまう。
【先行技術文献】
【特許文献】
【０００６】
【特許文献１】特開２００５−３４１００４号公報
【発明の概要】
【発明が解決しようとする課題】
【０００７】
以上のように、先読みに必要な時間が確保できないため、ユーザーに対して煩雑に切り換えながら視聴を行うザッピングのような操作性に関しては、不満を覚える結果となっている。
【０００８】
本発明の目的は、モバイルＡＶ機器の操作として行われそうな、サムネールを次々と選び、興味のあるコンテンツを探す目的でのザッピング操作において、そのコンテンツ再生にかかる時間のばらつきを平坦化し、ユーザーに対して操作感の向上を図ったコンテンツ再生装置を提供することである。
【課題を解決するための手段】
【０００９】
上記の課題を解決するために、本発明のコンテンツ再生装置は、保存されたコンテンツを再生するコンテンツ再生装置であって、前記コンテンツを保存するコンテンツ記憶手段と、前記コンテンツを複数のグループに分けて管理するコンテンツ配置手段と、前記コンテンツのサムネールを、前記グループごとに同一行または同一列に表示するサムネール表示手段と、前記サムネールの中からサムネールを選択させるコンテンツ選択手段と、前記選択されたサムネールに隣接するサムネールのコンテンツについて、当該コンテンツの先読みが必要であるか否かを判断し、先読みが必要である場合には、当該コンテンツの先読みを指示する先読みデータ取得指令生成手段と、前記先読みデータ取得指令生成手段により先読みが指示されたコンテンツの先読みを行うコンテンツ先読み手段と、前記サムネール選択手段により選択されたサムネールのコンテンツを前記コンテンツ先読み手段を通じて前記コンテンツ記憶手段から読み込み再生を行うコンテンツ再生手段とから構成される。
【００１０】
また、先読みデータ取得指令生成手段は、さらに、前記コンテンツ選択手段にて選択されたサムネールに隣接するサムネールのコンテンツに対して、先読みが必要であるか否かを判断するように構成しても構わない。
【００１１】
さらに、前記コンテンツ選択手段により選択されたサムネールに隣接して表示されるサムネールのコンテンツの先読みが完了しておらず、かつ、当該先読みが完了していないコンテンツに隣接して表示されるサムネールのコンテンツの先読みが完了している場合には、当該先読みが完了していないコンテンツと当該コンテンツの先読みが完了しているコンテンツの配置を入れ替えるように指示するコンテンツ配置変更指令生成手段を備え、前記コンテンツ配置手段は、前記コンテンツ配置変更指令生成手段の指示に応じてコンテンツの配置を交換して配置するように構成しても構わない。
【発明の効果】
【００１２】
以上、説明したように本発明のコンテンツ再生装置によれば、ユーザーがザッピングしようとしている移動方向のコンテンツの先読みデータを記憶でき、ザッピング時の再生画像の表示までの処理時間を短縮できる。このように、ユーザーは、ザッピングによるサムネールの選択と移動を繰り返しても、再生開始までの時間が平坦化され軽快な操作を維持することができる。
【００１３】
また、ザッピング時のユーザーのコンテンツの選択操作内容に応じて、表示領域周辺のコンテンツの先読みを行うことで、ザッピング時の急な操作方向の変更に対しても、既に先読み済みのコンテンツの配置をその表示域周辺に配置換えすることができるため、コンテンツごとの再生開始時間の隔たりを平準化できる。
【図面の簡単な説明】
【００１４】
【図１】実施の形態におけるコンテンツ再生装置の構成を表す図
【図２】実施の形態におけるコンテンツ再生装置の画面の一例を表す図
【図３】実施の形態におけるコンテンツ再生装置の画面の別の一例を表す図
【図４】実施の形態におけるコンテンツ再生装置の一例を表す図
【発明を実施するための形態】
【００１５】
（実施の形態）
以下に図面を参照しながら、実施の形態について説明する。
【００１６】
まず、本実施の形態におけるコンテンツ再生装置の概要を説明する。
【００１７】
本実施の形態では、コンテンツ配置手段において、複数のコンテンツを仮想的に二次元状に配置する。例えば、仮想的な二次元配置の縦軸方向は特定ジャンルごとに切られ、横軸方向にはそのジャンルに含まれるコンテンツが配置される。そして、これらのコンテンツの代表サムネールが、その配置に従い、表示域に表示される。例えば、図４では、横方向には同一ジャンルのコンテンツサムネールが並んでいる例を示している。画面の上からスポーツ、建物、乗り物に関するコンテンツとなっている。このようにコンテンツのサムネールを補表示するコンテンツ再生装置において、ユーザーがサムネールを選択したコンテンツが再生される。また、隣接するサムネールを選択すれば、画面の中央に選択されたコンテンツのサムネールが配置されるように、画面がスクロールされて更新され、その中央のサムネールのコンテンツは一定時間コンテンツが再生される。ユーザーが連続的に、隣接するサムネールを選択して表示させると、ザッピング再生状態となり、選択されたコンテンツが一定時間再生される。この際に、連続したザッピング再生ができるように、画面中央のコンテンツのザッピング再生と同時に、サムネールが隣接するコンテンツについては、一定量の先読みを行う。
【００１８】
本実施の形態では、縦方向、横方向にそれぞれ３個となり、合計９個のコンテンツのサムネールが、サムネール表示手段によりコンテンツ再生装置の画面に表示される。このときに、画面表示されている中央のサムネール（このときの移動開始点）から移動を開始し、一つ左に移動すれば、表示域の左側にある３個コンテンツに関する先読みが、先読みデータ取得手段により開始される。そして、移動開始点の左にあったコンテンツのサムネールを表示域の中央に表示するように画面を更新し、次に一つ左に移動する前までに先読みが終了する。このように、コンテンツが切り換えられても円滑にコンテンツを再生できるようにするために、予めコンテンツの一部を一時記憶する先読みを行うコンテンツを決め、先読みすることで、全てのコンテンツの先読みをするという無駄な処理を省くことを特徴としている。以下に、表示域内のコンテンツを再生しながら、ザッピング操作をするコンテンツ再生装置を説明する。
【００１９】
続いて、本実施の形態について、詳細に説明する。
【００２０】
図１は、本実施の形態におけるコンテンツ再生装置１００の概略を示すブロック図である。コンテンツ再生装置１００は、コンテンツ配置手段１１０と、サムネール表示手段１１１と、コンテンツ選択手段１１２と、コンテンツ再生手段１１３と、コンテンツ配置変更指令生成手段１１４と、先読みデータ取得指令生成手段１１５と、コンテンツ先読み手段１１６と、コンテンツを記録している内部メモリー、記憶媒体のいずれか、または、両方ともからなる装置内部のコンテンツ記憶手段１１７と、タッチパネルディスプレイ１１８と、を含んで構成される。
【００２１】
コンテンツ再生装置１００によって再生される、コンテンツ再生装置１００内のコンテンツ記憶手段１１７に記録されているコンテンツは、５つのジャンル属性ごとにグループ分けされており、グループごとに５つのコンテンツが記録されているものとして説明する。
【００２２】
また、タッチパネルディスプレイ１１８を用い、ユーザーが次のサムネールを選択するために移動する移動方向としては、上下、左右の方向に限定されているものとして説明する。
【００２３】
コンテンツ配置手段１１０は、コンテンツ再生装置１００で再生するコンテンツを、タッチパネルディスプレイ１１８で画面表示するために、コンテンツを仮想的に２次元画面上に縦横に配置し、管理する。後述するコンテンツ配置変更指令生成手段１１４からのコンテンツ配置変更指令を受け、コンテンツの配置変更を行う。
【００２４】
サムネール表示手段１１１は、後述するタッチパネルディスプレイ１１８の中のモニタやＬＣＤ（Ｌｉｑｕｉｄ  Ｃｒｙｓｔａｌ  Ｄｉｓｐｌａｙ）等の表示手段に対して、コンテンツ再生装置１００で再生するコンテンツのサムネールを、コンテンツ配置手段１１０により決定された配置で縦横に表示する。図２、図３では、コンテンツ配置手段１１０では５行５列にコンテンツを仮想的に配置しており、そのうち３行３列分のコンテンツに対応するサムネールをタッチパネルディスプレイ１１８に表示する。
【００２５】
図２では、コンテンツ配置手段１１０で配置された５行５列のコンテンツの配置例１６０と、そのコンテンツの配置例１６０の配置に従い、サムネール表示手段１１１でタッチパネルディスプレイ１１８に表示される３行３列のコンテンツのサムネールの表示域１５０を示している。
【００２６】
このようにタッチパネルディスプレイ１１８には、９つのサムネールが表示され、ザッピング再生時には、後述するコンテンツ再生手段１１３により、中央のサムネール１５５のコンテンツがそのサムネール表示内で開始される。
【００２７】
本実施の形態では、タッチパネルディスプレイ１１８を用いたコンテンツのザッピング操作の方向は、仮想的に二次元に配置したコンテンツの縦方向、横方向と限定して説明する。操作方向が限定されると、中央のサムネール３３で示されたコンテンツ１５５をザッピング再生中であるならば、次のザッピング対象としてユーザーが選択できるコンテンツは、表示域１５０内においてはコンテンツ１５２、１５４、１５６、１５８となる。
【００２８】
表示域１５０外のサムネールで表されるコンテンツを選択する際も、操作方向が、縦方向、横方向と限定するものとする。このとき、横方向には同一ジャンルでのコンテンツが、縦方向には異なるジャンルでのコンテンツが配置されていることから、ユーザーが操作して選択できるコンテンツは、ザッピング操作方向が横方向では同一ジャンルの他のコンテンツ、縦方向では異なるジャンルのコンテンツとなり、ユーザーにより選択されたコンテンツがザッピング再生される。
【００２９】
そして、ザッピング再生をするための先読み対象となるコンテンツは、横方向に並べられたコンテンツや、縦方向に並べられたコンテンツとなる。
【００３０】
同一ジャンル内のコンテンツをザッピング再生の対象とするのであれば、表示域１５０外のコンテンツ１６２、１６５が先読み対象となる。また、ジャンルが異なるコンテンツをザッピング再生の対象とするのであれば、コンテンツ１７３、１７８で示されたコンテンツが先読み選択対象となる。
【００３１】
コンテンツ選択手段１１２は、サムネール表示手段１１１がタッチパネルディスプレイ１１８に表示した表示域１５０の中から、ユーザーに次に再生するコンテンツを選択させる手段である。タッチパネルディスプレイ１１８上で、ユーザーが画面をタッチすることにより選択動作をすると、タッチパネルディスプレイ１１８はその位置を感知する。その位置をコンテンツ選択手段１１２が検知し、選択されたサムネールのコンテンツを決定する。そして、選択されたサムネールを表示域１５０の中央になるように表示域を変更する。例えば図２において、表示域１５０の中央にあったサムネール３３で示されるコンテンツ１５５から、サムネール２３で示されるコンテンツ１５２が選択された場合には、サムネール２３が表示域１５０の中心になるように、表示域が移動する。そして、サムネール２３に隣接するサムネールはサムネール１２、１３、１４、２２、２４、３２、３３、３４となり、図３で示すように、新たな表示域１７０で示されるように、これらサムネールがタッチパネルディスプレイ１１８に表示するように移動する。その後、選択されたサムネール２３のコンテンツ１５２の再生をコンテンツ再生手段１１３にて開始する。
【００３２】
先読みデータ取得指令生成手段１１５は、図２において、表示域１５０でサムネール１５５のザッピング再生が開始されているとき、次のザッピング対象として、隣接しているサムネールのうち、タッチパネルディスプレイ１１８で操作できる方向で選択できるコンテンツ１５２、１５８、１５４、１５６のコンテンツに対して、先読みが必要とされる状態である先読み必要状態にあるかを確認する。
【００３３】
ザッピング再生開始時であれば、コンテンツ１５５にあるコンテンツの周囲のコンテンツ１５２、１５８、１５４、１５６とも、コンテンツ先読み手段１１６内には先読みデータがないため、先読みが必要とされる状態である先読み必要状態にあたる。そこで、これらコンテンツに対する先読みデータ取得指令が生成される。そしてコンテンツ先読み手段１１６により、これらコンテンツの先読みを行い、記憶する。記憶した内容は、ザッピング再生される際に用いられる。コンテンツの先読みは、コンテンツの再生中にもなされる。
【００３４】
また、ザッピング再生が一定時間以上継続されている間に、先読み必要状態となるコンテンツの範囲を拡大してもよい。この場合、先読みする対象として、例えば操作方向に応じてコンテンツ１６２、１６５とし、また、コンテンツ１７３、１７８としてもよい。または、コンテンツ１５１、１５３、１５７、１５９に対して、コンテンツ先読みの対象を拡大しても構わない。
【００３５】
さらに、コンテンツの先読みの方向を、ユーザーの操作方向や、ユーザーの操作履歴から定めても構わない。例えば、ユーザーの操作履歴が、同一ジャンル方向であるのなら、コンテンツ１５２、１５８、１６２、１６５の順に先読みを行うというようにである。
【００３６】
また、同一ジャンル方向から先読みするのではなく、異なるジャンル方向から先読みするように決めるのであるのなら、コンテンツ１５４、１５６、１５２、１５８の順に読込むこととなる。
【００３７】
また、特定方向、例えば、ジャンル方向の左方向に移動しているような場合には、コンテンツ１５２、１６２と順に先読みを行う。
【００３８】
ここでは、再生開始までに先読みができるコンテンツは４つのコンテンツを例として説明した。これ以上読み出せるのであれば、上記にあげたようにコンテンツの先読み方向を拡大するように構成しても構わない。また、上記の対象を組み合わせたものを先読みの対象コンテンツとしてコンテンツの先読み必要状態としてもよい。コンテンツの先読み方向は、ジャンル方向であった場合には、図２のコンテンツ１５２、１５８、１６２、１６５と同一ジャンルに横並びのコンテンツ一行分としているが、当然ながら複数ジャンルである複数行分としても構わない。
【００３９】
コンテンツ先読み手段１１６は、コンテンツ再生装置１００内のコンテンツ記録媒体からコンテンツを読み出し、記憶し、コンテンツ再生手段１１３にコンテンツデータを渡す。また、先読みデータ取得指令生成手段１１５で生成された先読み指令により、指定コンテンツのコンテンツデータの先読みを行う。コンテンツデータのうち先読みする量は、ザッピング再生が継続的に行われる分量で十分である。例えば、ユーザーが５秒の間隔でザッピング再生するのであれば、５秒分あれば十分である。余裕を持って、６秒程度としても構わない。ザッピング再生間隔が定まれば、それよりも１〜２秒程度多い分量のコンテンツデータを先読みしておく。このザッピング再生間隔は予め定められた一定量としても構わず、ユーザーのザッピング再生間隔を記憶しておき、その間隔分として適応的に定めても構わない。これにより、先読み確保する分量が、最適となるように定めることができる。
【００４０】
コンテンツ先読み手段１１６としては、コンテンツ再生装置１００の内部メモリーや、ＳＤカード等の可換記憶媒体等がある。
【００４１】
図３は、図２の状態でザッピング再生の対象を１５５から１５２に変えた場合に、サムネール表示手段１１１により表示域が変更された様子を示した図である。
【００４２】
変更に際して、あるコンテンツの配置変更が必要とされる再配置必要状態であるかを確認し、必要な動作が行われたものとして表示されている。詳細は後述する。なお、先読みが必要とされる先読み必要状態については、ここでは特に触れない。
【００４３】
コンテンツ配置変更指令生成手段１１４は、コンテンツ選択手段１１２により、表示域の変更を行うときに、あるコンテンツが配置変更が必要とされる再配置必要状態にあるかを検知し、検知した場合には、コンテンツ配置手段１１０に対して配置変更指令の生成を行う。
【００４４】
ここでは、図２から図３にザッピング対象がサムネール３３を持つコンテンツ１５５からサムネール２３を持つコンテンツ１５２に変わる場合を例に説明する。この際に、同一ジャンルのコンテンツ方向のザッピング再生がなされており、移動方向ではないコンテンツ（縦方向の異なるジャンルのコンテンツ）１５４、１５６が、先読み完了状態であるとする。つまり、図２において、少なくともコンテンツ１５２、コンテンツ１５４、コンテンツ１５６の先読みが完了されているものとする。
【００４５】
図２で再生されているサムネール３３で示されるコンテンツ１５５から、サムネール２３で示されるコンテンツ１５２に、ザッピング再生が移動する場合、図２の表示域１５０から、図３の表示域から１７０に示した表示域に変更される。
【００４６】
このとき、表示域の変更に際して、コンテンツに対して先読みが必要とされる先読み必要状態であるか否かを先読みデータ取得指令生成手段１１５にて判断し、配置変更が必要とされる再配置必要状態であるか否かをコンテンツ配置変更指令生成手段１１４にて判断する。つまり、図２の状態においてコンテンツ１５１、１５３の先読みはなされておらず、先読み必要状態であると判断される。また、移動方向にあるコンテンツ１６２についても先読み必要状態であると判断される。
【００４７】
また、コンテンツ配置変更指令生成手段１１４は、新たに先読み対象となるコンテンツが先読みされていないコンテンツであり、それと隣接するコンテンツが先読みされているとき、コンテンツの配置変更可能状態と判断する。図２の状態において、ザッピング再生の移動先であるコンテンツ１５２の、移動方向ではない方向に隣接しているコンテンツ１５１、コンテンツ１５３は先読みされておらず、コンテンツ１５４、１５６は先読みがなされていることから、コンテンツ１５１とコンテンツ１５４とは配置変更可能で、また、コンテンツ１５３とコンテンツ１５６とも配置変更可能であると判断される。
【００４８】
このように、コンテンツ配置変更指令生成手段１１４により、配置変更必要状態を判断することにより、コンテンツの先読みよりも、表示域におけるコンテンツを表すサムネールを交換する配置変更の方が処理が早いため、図３の新たな配置画面において、縦方向のコンテンツであるコンテンツ１５４、１５６にザッピング再生指示がなされた際には、円滑にザッピング再生をすることができる。
【００４９】
このように、図２から図３の画面のように、ザッピング再生するコンテンツがコンテンツ１５５からコンテンツ１５２と移動した場合には、コンテンツ１６２のコンテンツの先読みと、サムネール２２とサムネール３２の間のサムネールの入れ替え、サムネール２４とサムネール３４の間のサムネールの入れ替えがなされる。
【００５０】
コンテンツ再生手段１１３は、コンテンツ選択手段１１２にて選択指定されたコンテンツのデータをコンテンツ先読み手段１１６から読み出し再生する。再生は、タッチパネルディスプレイ１１８の指定領域にて行われる。本実施の形態のザッピング再生時は、コンテンツ選択手段１１２にて選択されたサムネールの部分を指定領域として再生する。図３の状態において、表示域１７０のサムネールがタッチパネルディスプレイ１１８に表示され、サムネール２３が表示される領域において、コンテンツ１５２の再生がなされる。
【産業上の利用可能性】
【００５１】
本発明のコンテンツ再生装置は、コンテンツのザッピング再生を円滑に表示する等に有用である。
【符号の説明】
【００５２】
１００  コンテンツ再生装置
１１０  コンテンツ配置手段
１１１  サムネール表示手段
１１２  コンテンツ選択手段
１１３  コンテンツ再生手段
１１４  コンテンツ配置変更指令生成手段
１１５  先読みデータ取得指令生成手段
１１６  コンテンツ先読み手段
１１７  コンテンツ記憶手段
【図１】
2011182357.tif 000003
【図２】
2011182357.tif 000004
【図３】
2011182357.tif 000005
【図４】
2011182357.tif 000006